(57)【要約】【課題】区画体の貫通孔の耐火処理を容易に実現可能であるとともに、区画体の貫通孔を通じて火災が伝搬することを確実に防止できる区画貫通孔の防火構造を提供する。【解決手段】本発明の区画貫通孔の防火構造１は、区画体２と、発泡シート３とを備える。区画体２は、貫通孔４を有し、貫通孔４には配線５が内挿される。発泡シート３は、熱膨張性を有しており、貫通孔４に内挿された配線５の周囲に巻き付けられて、配線５の外周面と貫通孔４の内周面との間に配置される。【選択図】図１
2016223162.tif 000002
【特許請求の範囲】
【請求項１】
貫通孔を有し、当該貫通孔に配線あるいは配管が内挿される区画体と、
前記貫通孔に内挿された前記配線あるいは前記配管の周囲に巻き付けられて、前記配線あるいは前記配管の外周面と前記貫通孔の内周面との間に配置される発泡シートとを備え、
前記発泡シートは、熱膨張性を有する区画貫通孔の防火構造。
【請求項２】
前記発泡シートの長さが前記貫通孔の長さに一致することで、前記貫通孔の全長に亘って前記発泡シートが配置されている請求項１に記載の区画貫通孔の防火構造。
【請求項３】
前記発泡シートは、断面Ｃ字状に成形されて、長手方向に延びる切り込みを有し、
前記発泡シートの内側に前記配線あるいは前記配管が入れられることで、前記発泡シートが前記配線あるいは前記配管の周囲に巻き付けられる請求項１又は２に記載の区画貫通孔の防火構造。
【発明の詳細な説明】
【技術分野】
【０００１】
本発明は、配線または配管が挿入される区画貫通孔の防火構造に関する。
【背景技術】
【０００２】
従来、住宅の壁の区画貫通孔の施工方法として、貫通孔に耐火素材からなる貫通孔カバーを設置し、貫通孔カバーの内部に電気配線や配管を貫通させて、区画貫通孔の耐火処理を施す工法が行われている。例えば特許文献１では、上記の貫通孔カバーとして金属製のスリーブを使用する方法が開示されている。この特許文献１では、区画体の貫通孔に鋼製電線管のスリーブが貫設され、スリーブの内部に配線や配管が挿通される。そして、耐火パテによって、スリーブの内周面と配線有或いは配管の外側面との間が閉塞される。
【０００３】
また特許文献２〜４には、区画貫通孔の耐火処理として、区画貫通孔に挿入した配管に耐火材を巻き付けることで、区画貫通孔を埋める方法が開示されている。上記の耐火材は、樹脂組成物からなる熱膨張性シートと、発泡樹脂シートとが積層された構造を有する。
【先行技術文献】
【特許文献】
【０００４】
【特許文献１】特開２０１４−１３７０８５号公報
【特許文献２】特開２００７−１５４５６６号公報
【特許文献３】特開平１０−１０９３７３号公報
【特許文献４】特開平９−１８２８０８号公報
【発明の概要】
【発明が解決しようとする課題】
【０００５】
しかしながら特許文献１のように、スリーブと配線或いは配管との間に耐火パテを埋める作業は煩雑であり、区画体の貫通孔が部屋の隅や天井近傍等に形成される場合には、耐火パテを埋める作業が困難となり、多大な負担を要する。
【０００６】
また特許文献２〜４では、熱膨張性シートが配管の表面に接するように耐火材が配管に巻き付けられた場合、熱膨張性シートの柔軟性が低いことで、熱膨張性シートと配管との間に隙間が生じる虞れがある。そしてこの隙間が生じた場合には、当該隙間を通じて火災が伝搬したり、区画体を介する一方側の空間から他方側の空間に光が漏れて外観上好ましくない事態に陥る。
【０００７】
本発明は、上記課題を解決するためになされたものであり、その目的は、区画体の貫通孔の耐火処理を容易に実現可能であるとともに、区画体の貫通孔を通じて火災が伝搬することを確実に防止できる区画貫通孔の防火構造を提供することである。
【課題を解決するための手段】
【０００８】
本発明に係る防火構造は、貫通孔を有し、当該貫通孔に配線あるいは配管が内挿される区画体と、前記貫通孔に内挿された前記配線あるいは前記配管の周囲に巻き付けられて、前記配線あるいは前記配管の外周面と前記貫通孔の内周面との間に配置される発泡シートとを備え、前記発泡シートは、熱膨張性を有する。
【０００９】
好ましくは、前記発泡シートの長さが前記貫通孔の長さに一致することで、前記貫通孔の全長に亘って前記発泡シートが配置されている。
【００１０】
好ましくは、前記発泡シートは、断面Ｃ字状に成形されて、長手方向に延びる切り込みを有し、前記発泡シートの内側に前記配線あるいは前記配管が入れられることで、前記発泡シートが前記配線あるいは前記配管の周囲に巻き付けられる。
【発明の効果】
【００１１】
本発明によれば、発泡シートが熱膨張性を有することで、区画体の貫通孔に内挿される配線あるいは配管に発泡シートを巻き付ける簡易な作業で耐火処理を実現でき、耐火パテを埋める煩雑な作業を要しない。このため、耐火処理を容易に実現できる。また、発泡シートが柔軟な発泡体であることから、配線あるいは配管の外周面と貫通孔の内周面との間を、隙間なく発泡シートで覆うことができる。このため、貫通孔の気密性を高めることができ、貫通孔を通じて火災が伝搬することを確実に防止できる。また、発泡シートによって貫通孔の空隙を隙間なく塞ぐことができるので、区画体を介する一方側の空間から他方側の空間に光が漏れることを防止できる。
【図面の簡単な説明】
【００１２】
【図１】本発明の実施形態に係る区画貫通孔の防火構造を示す斜視図である。
【図２】本発明の実施形態に係る区画貫通孔の防火構造を示す断面図である。
【図３】本発明の実施形態に係る防火構造を構築する手順を示す斜視図である。
【図４】本発明の実施形態に係る防火構造を構築する手順を示す斜視図である。
【図５】発泡シートの変形例を示す斜視図である。
【図６】図５に示す発泡シートを用いて防火構造を構築する手順を示す斜視図である。
【発明を実施するための形態】
【００１３】
以下、本発明の実施形態に係る区画貫通孔の防火構造について図面を参照しつつ説明する。図１は、本発明の実施形態に係る防火構造１を示す斜視図である。図２は、本実施形態に係る防火構造１を示す断面図であり、図１のＡ−Ａ線で切断した状態を示す。
【００１４】
本実施形態の防火構造１は、区画体２と、熱膨張性を有する発泡シート３とを備える。区画体２は、上下方向に延びる建築物の壁であり、防火区画Ａ，Ｂを区画する。区画体２としての壁の構造は、特に限定されるものではなく、例えば、鉄筋コンクリート構造（ＲＣ）や軽量気泡コンクリート構造（ＡＬＣ）の他、図示は省略するが、木製又は鋼製の間柱を挟み込むように両側に石膏ボードを固定した間仕切壁（中空壁）などを挙げることができる。区画体２には、防火区画Ａ，Ｂを連通させる貫通孔４が形成される。壁が間仕切壁（中空壁）の場合には、各石膏ボードに貫通孔４が形成される。
【００１５】
貫通孔４には、電線や光ファイバケーブルなどの配線５が挿通される。発泡シート３は、帯状を呈するものであって、貫通孔４に内挿された配線５の周囲に巻き付けられて、配線５の外周面と貫通孔４の内周面との間に配置される。配線５に巻き付けられた発泡シート３の厚さは、配線５の外周面と貫通孔４の内周面との間の幅に一致しており、貫通孔４と配線５との間が、発泡シート３によって隙間なく埋められている。また、発泡シート３の長さが貫通孔４の長さに一致することで、発泡シート３は、貫通孔４の全長に亘って配置されている。
【００１６】
発泡シート３は、熱膨張性を有する耐火樹脂素材からなる。具体的には、発泡シート３は、熱可塑性エラストマーを少なくとも２０質量％以上含有するゴム成分と、熱膨張性黒鉛、マイクロカプセル、形崩れ防止剤、無機充填剤を含有する組成物からなる。マイクロカプセルは、組成物中に含有させた後に膨張処理される。或いは、マイクロカプセルは、予め加熱されて膨張処理が施された後に、組成物中に含有されてもよい。
【００１７】
この発泡シート３は、マイクロカプセルを組成物中で膨張させることにより、断熱性及び軽量性を発揮し、更に高温下に曝された際に膨張性黒鉛が膨張して膨張層を形成するものであり、形崩れ防止剤を含有することにより長時間高温下にさらされても脆弱化しにくいという効果を有するものである。このため、火災において優れた耐火性能を安定して得ることができるとともに、膨張層が形崩れし難く火災後の処理も円滑且つ安全に行うことができる。
【００１８】
発泡シート３を成形する方法としては、熱可塑性エラストマーを少なくとも２０質量％以上含有するゴム成分と、熱膨張性黒鉛、マイクロカプセル、形崩れ防止剤、無機充填剤を含有する組成物を、熱膨張性黒鉛及びマイクロカプセルの膨張開始温度以下で混練し、（ａ）熱膨張性黒鉛の膨張開始温度以下且つマイクロカプセルの膨張開始温度以上の温度で成形する方法、（ｂ）熱膨張性黒鉛及びマイクロカプセルの膨張開始温度以下で成形した後、例えばギヤーオーブン等の加熱器中でマイクロカプセルの膨張開始温度以上かつ熱膨張性黒鉛の膨張開始温度以下の温度で加熱してマイクロカプセルを膨張させる方法がある。
【００１９】
或いは、発泡シート３は、熱可塑性エラストマーを少なくとも２０質量％以上含有するゴム成分と、熱膨張性黒鉛、予め加熱処理して膨張させたマイクロカプセル（平均粒径５０〜１５０μｍ）、形崩れ防止剤、無機充填剤を有する組成物を、熱膨張性黒鉛の膨張開始温度以下で混練、成形して得ることもできる。
【００２０】
組成物を混練する装置としては、従来公知のミキサー、バンバリーミキサー、ニーダーミキサー、二本ロール等の混練装置がある。混練した組成物を成形する装置としては、従来公知のプレス成形、ロール成形、押し出し成形、カレンダー成形、射出成形等の成形装置がある。
【００２１】
ゴム成分は、その内部に熱可塑性エラストマーを含有したものであり、熱膨張性黒鉛、マイクロカプセル、形崩れ防止剤、無機充填剤等をその内部に均一に分散保持させるためのものである。
【００２２】
上記のゴム成分としては、例えば、エチレンプロピレンゴム、ブチルゴム、スチレンブタジエンゴム、イソプレンゴム、アクリロニトリルブタジエンゴム、ポリブタジエンゴム、クロロプレンゴム、ポリブテンゴム、塩素化ポリエチレンゴム、アクリルゴム、クロルスルホン化ポリエチレン、シリコーンゴム、フッ素ゴム、天然ゴム及び合成ゴムがあり、これらの単体だけでなく、混練性、シート成形性、押出し成形性、プレス成形性等を改善するために、２種以上が混合されてもよい。
【００２３】
ゴム成分に含まれる熱可塑性エラストマーは、その内部にハードセグメントとソフトセグメントを有する。熱可塑性エラストマーは、組成物を加熱して成形加工する際に、ハードセグメントが溶融して流動性を発現して成形性を向上させる一方、成形後の常温においては、このハードセグメントが成形品の寸法安定性を向上させるとともに、ソフトセグメントによりゴム弾性を発現し強度及び可撓性を向上させるものである。さらに、熱可塑性エラストマーは、火災発生時には熱によりハードセグメントが溶融し、膨張した膨張性黒鉛を一時的につなぎとめるという効果も有する。
【００２４】
熱可塑性エラストマーを構成するハードセグメントとソフトセグメントの比率は、２０：８０〜６０：４０であることが好ましく、２５：７５〜４０：６０であることが特に好ましい。ハードセグメントの比率が２０％より少ないと組成物の成形性が低下する。ハードセグメントの比率が６０％を越えると可撓性が低下する。
【００２５】
熱可塑性エラストマーのゴム成分に対する含有量は２０質量％以上が好ましい。熱可塑性エラストマーの含有量が２０質量％より少ないと、発泡成形体の寸法安定性を保持できなくなるとともに、その強度及び可撓性が不足する。
【００２６】
上記の熱可塑性エラストマーとして、例えば、塩化ビニル系熱可塑性エラストマー、スチレン系熱可塑性エラストマー、ポリオレフィン系熱可塑性エラストマー、ポリエステル系熱可塑性エラストマー等の各種熱可塑性エラストマーが使用でき、特にスチレン系熱可塑性エラストマーが好ましい。
【００２７】
上記のスチレン系熱可塑性エラストマーとしては、例えば、ビニル芳香族化合物を主体とする重合体ブロックと共役ジエン化合物を主体とする重合体ブロックとからなるブロック共重合体を使用できる。ビニル芳香族化合物としては、例えば、スチレン、ｐ−メチルスチレン、α−メチルスチレン、ビニルキシレン、モノクロロスチレン、ジクロロスチレン、モノブロモスチレンを使用でき、これらの単体を２種以上組み合わせて使用しても良い。これらビニル芳香族化合物のうち特に好ましいものはスチレンである。共役ジエン化合物としては１，３−ブタジエン、イソプレン、２，３−ジメチル−１，３−ブタジエン、１，３−ペンタジエン等を使用でき、これらの単体を２種以上組み合わせて使用しても良い。これら共役ジエン化合物のうち、好ましいものは１，３−ブタジエン、イソプレンであり、特に好ましいものは１，３−ブタジエンである。なお、これらスチレン系熱可塑性エラストマーのブロック共重合体は、公知のアニオン重合により製造できる。
【００２８】
熱膨張性黒鉛は、２００℃程度以上の温度に曝された際に、その容積が１００倍以上に膨張するものである。この熱膨張性黒鉛は、特に限定されるものではないが、天然グラファイト、熱分解グラファイト等の粉末を、硫酸、硝酸等の無機酸と、濃硝酸、過マンガン酸塩等の強酸化剤とで処理したもので、グラファイト層状構造を維持した結晶化合物である。なお、これら天然グラファイト、熱分解グラファイト等の粉末は、脱酸処理したものに加え、更に中和処理したもの、様々な品種がある。
【００２９】
熱膨張性黒鉛の粒度は、２０〜４００メッシュ程度が好ましい。４００メッシュより粒度が小さくなると熱膨張性黒鉛の膨張度が小さくなる。また２０メッシュより粒度が大きくなると、ゴム成分に混練する際に分散性が悪くなり、強度等の物性が低下する。
【００３０】
熱膨張性黒鉛の含有量は、ゴム成分の種類、所望の膨張倍率等によって適宜設定できるが、通常はゴム成分１００質量部に対して５〜１００質量部が良い。熱膨張性黒鉛の含有量が５質量部より少ないと火災発生の高温時の膨張倍率が小さく、１００質量部を超えると膨張倍率は大きくなるものの、得られる配合物の硬度が上昇し強度等の物性が低下する。またシート状に成形する場合には、成形性が劣り表面肌が悪くなる。
【００３１】
マイクロカプセルは、低沸点の液体や固体、あるいは加熱によってガスを発生する化合物を熱可塑性樹脂の殻で内包したプラスチックの微小球体（平均粒子径５〜５０μｍ）である。このマイクロカプセルは、加熱処理によって殻が軟化し、同時に内包されている物質がガス化あるいはガスを発生しカプセルの膨張が生じるものである。内包される物質としては、低沸点の炭化水素や重炭酸ナトリウム等の重炭酸塩等がある。
【００３２】
マイクロカプセルの含有量は、ゴム成分１００質量部に対し３〜５０質量部が良い。マイクロカプセルの含有量が３質量部より少ないと発泡成形体の軽量性及び断熱性が劣り、５０質量部を越えると発泡成形体の強度が低下する。また、マイクロカプセルの膨張開始温度は、熱膨張性黒鉛より低温であることが必要である。
【００３３】
形崩れ防止剤は、発泡成形体中の膨張性黒鉛を安定的に固定し、発泡成形体自体の形崩れを防止するためのものである。
【００３４】
形崩れ防止剤の含有量は、使用する膨張性黒鉛の使用量によって適宜設定できるが、通常はゴム１００質量部に対し５〜２００質量部である。５質量部より少ないと、膨張性黒鉛をつなぎとめる効果が小さく形崩れ防止性能が劣り、２００質量部を超えると、組成物の硬度が高くなり可撓性が劣るようになる。
【００３５】
また、形崩れ防止剤と膨張性黒鉛の割合は、成形性、強度特性等のバランスの観点から、好ましくは質量比で１：５〜１０：１であり、より好ましくは１：２〜５：１である。
【００３６】
形崩れ防止剤としては、例えば、ホウ酸を使用できる。ホウ酸自体は、公知の製法により得られるもの又は市販されているものを使用できる。このホウ酸としては、例えば、オルトホウ酸（Ｈ３ＢＯ３）、メタホウ酸（ＨＢＯ２）等のいずれでも良いが、通常はオルトホウ酸が良い。ホウ酸は、通常は粉末の形態で使用する。この場合、ホウ酸粉末の粒径は特に制限されないが、比較的粒径の小さなもの（通常１００μｍ程度以下、好ましくは２０μｍ程度以下）が好ましい。
【００３７】
無機充填剤は、組成物の成形性を向上させるものである。無機充填剤の含有量は、ゴム成分１００質量部に対し１０〜３００質量部を使用する。１０質量部より少ないと成形性を向上させる効果が小さく、３００質量部を超えて使用すると、組成物の硬度が高くなって可撓性が劣るようになるとともに、強度特性も低下する。
【００３８】
無機充填剤としては、例えば、シリカ、珪藻土、アルミナ、酸化亜鉛、酸化チタン、酸化マグネシウム、酸化鉄、水酸化アルミニウム、水酸化マグネシウム、炭酸カルシウム、炭酸マグネシウム、炭酸亜鉛、炭酸バリウム、ハイドロタルサイト、硫酸カルシウム、硫酸バリウム、ケイ酸カルシウム、タルク、クレー、マイカ、ベントナイト、活性白土、セピオライト、ガラス繊維、ガラスビーズ、窒化アルミニウム、窒化ホウ素、カーボンブラック、グラファイト、炭素繊維等を使用でき、これらの単体の２種以上を混合して使用しても良い。また、無機充填剤の粒径は、ゴム成分への分散性の観点から１〜５０μｍが好ましい。
【００３９】
これら無機充填剤の中でも、水酸化アルミニウムや水酸化マグネシウムは、加熱時の脱水反応によって生成する水の吸熱効果により温度上昇が抑えられ、難燃性が向上するため好ましい。
【００４０】
熱膨張性黒鉛、マイクロカプセル、形崩れ防止剤、及び無機充填剤のゴム成分に対する配合量の合計は、ゴム成分１００質量部に対して、５００質量部以下が良い。配合量の合計が５００質量部を超えると、組成物の硬度が高くなって可撓性が劣るようになるとともに、強度特性も低下する。
【００４１】
図３は、防火構造１を構築する手順を示す断面図である。上述した防火構造１は、以下の（Ａ）〜（Ｃ）の手順を順次実行することで構築される。
【００４２】
（Ａ）区画体２に貫通孔４を形成する。
（Ｂ）図３（ａ）に示すように、発泡シート３を、渦状に巻いて、貫通孔４に挿入する。この際には、発泡シート３の渦の厚さが、貫通孔４の直径から配線５の直径を差し引いた値の１／２とほぼ等しくなるよう、発泡シート３を巻き回す回数を調整する。
（Ｃ）図３（ｂ）に示すように、発泡シート３の渦の中心に、配線５を挿入する。これにより、発泡シート３が、貫通孔４の内周面と配線５の外周面との間に配置された状態になり、防火構造１が構築される。
【００４３】
図４は、防火構造１を構築する別の手順を示す斜視図である。防火構造１は、以下の（Ｄ）〜（Ｆ）の手順を順次実行することによっても構築できる。
（Ｄ）区画体２に貫通孔４を形成する。
（Ｅ）図４（ａ）に示すように、貫通孔４に配線５を通す。
（Ｆ）図４（ｂ）に示すように、貫通孔４の外側に延び出た配線５の範囲に発泡シート３を渦状に巻き付ける。この際には、配線５に巻き付ける発泡シート３の厚さが、貫通孔４と配線５との間の幅にほぼ等しくなるよう、発泡シート３を巻き回す回数を調整する。
（Ｇ）図４（ｃ）に示すように、発泡シート３を配線５に沿ってスライドさせて、発泡シート３を貫通孔４に挿入する。これにより、発泡シート３が、貫通孔４の内周面と配線５の外周面との間に配置された状態になり、防火構造１が構築される。
【００４４】
上記の手順（Ｄ）〜（Ｇ）によれば、図４（ａ）に示すように貫通孔４に配線５が内挿されている状態でも、貫通孔４内の配線５の周囲に発泡シート３を巻き付けることができる（図４（ｃ））。
【００４５】
そして上述の手順により防火構造１が構築されて、防火区画Ａ，Ｂのいずれか一方で火災が生じた場合には、貫通孔４を伝わる火災の熱によって、発泡シート３が膨張する。そして、この膨張した発泡シート３が、貫通孔４の空隙を閉塞するので、防火区画Ａ，Ｂの他方に火災が伝搬することが防止される。
【００４６】
本実施形態によれば、発泡シート３が熱膨張性を有することで、区画体２の貫通孔４に内挿される配線５に発泡シート３を巻き付ける簡易な作業で耐火処理を実現でき、耐火パテを埋める煩雑な作業を要しない。このため、区画貫通孔の耐火処理を容易に実現できる。
【００４７】
また、発泡シート３が柔軟な発泡体であることから、貫通孔４と配線５との間を隙間なく発泡シート３で覆うことができる。このため、貫通孔４の気密性を高めることができ、貫通孔４を通じて火災が伝搬することを確実に防止できる。また、発泡シート３によって貫通孔４の空隙を隙間なく塞ぐことができるので、防火区画Ａ，Ｂの一方から他方に光が漏れることを防止できる。
【００４８】
本発明は、上記の実施形態に限定されず、種々変更することができる。
【００４９】
また上記の実施形態では、発泡シート３の長さが貫通孔４の長さに一致することで、貫通孔４の全長に発泡シート３を配置する例を示したが、発泡シート３の長さは貫通孔４の長さよりも短くてもよい。この場合、発泡シート３が配置されていない貫通孔４の範囲に、金属製のスリーブが配置され得る。
【００５０】
また上記の実施形態によれば、耐火パテを埋める作業を省略できるので耐火処理を容易に実現できる旨述べたが、本発明は、耐火パテを使用することを否定するものではなく、発泡シート３の長さが貫通孔４の長さよりも短い場合には、上述のスリーブの内部など、発泡シート３の配置されていない貫通孔４の範囲に、耐火パテを埋めてもよい。
【００５１】
また図５に示すように、発泡シートの形状は変更されてもよい。図５に示す発泡シート７は、断面Ｃ字状に成形されたものであり、長手方向に延びる切り込み８を有する。この発泡シート７では、半割の一方側・他方側を引き開く力Ｆを加えることで、切り込み８の幅を拡げることができる。この発泡シート７を用いて防火構造を構築する場合、以下の（Ｈ）〜（Ｋ）の手順が順次実行される。
【００５２】
（Ｈ）区画体２に貫通孔４を形成する。
（Ｉ）図６（ａ）に示すように、貫通孔４に配線５を通す。
（Ｊ）図６（ａ）に示すように、貫通孔４の外側に延び出た配線５の範囲に発泡シート７を被せる。この際には、発泡シート７の切り込み８の幅を拡げて、この切り込み８から配線５を発泡シート７の内側に入れる。これにより、発泡シート７が配線５に巻き付けられた状態となる。
（Ｋ）発泡シート７を配線５に沿ってスライドさせて、発泡シート７を貫通孔４内に挿入する。これにより、発泡シート７が、貫通孔４の内周面と配線５の外周面との間に配置された状態になり、防火構造が構築される。
【００５３】
上記の手順（Ｈ）〜（Ｋ）によれば、図６（ａ）に示すように貫通孔４に配線５が内挿されている状態で、配線５の周囲に発泡シート７を巻き付けることができる（図６（ｃ））。また、切り込み８から配線５を発泡シート７の内側に入れる簡易な作業で、発泡シート３を配線５に巻き付けることができる。
【００５４】
また上記では、貫通孔４に配線５を挿通させる例を示したが、水道管、給水管、排水管、冷媒管などの配管が貫通孔４に挿通されてもよい。この場合、上述した発泡シート３や発泡シート７は、貫通孔４に内挿された配管の周囲に巻き付けられて、配管の外周面と貫通孔４の内周面との間に配置される。また、配管に巻き付けた発泡シート３や発泡シート７の厚さを貫通孔４と配管との間の幅に一致させることで、貫通孔４と配管との間が、発泡シート３や発泡シート７によって隙間なく埋められる。
【００５５】
また、区画体は、上層階と下層階とを区画する水平方向に延びる床又は板であってもよい。この場合、区画体には、上下方向に延びる貫通孔が形成され、貫通孔に内挿される配線あるいは配管の周囲に発泡シート３または発泡シート７が巻き付けられる。このようにすることで、上層階と下層階のうち一方で火災が生じた場合、発泡シート３または発泡シート７が熱膨張することで、貫通孔４の空隙を閉塞する。したがって、他方の階に火災が伝搬することを防止できる。
【符号の説明】
【００５６】
１  防火構造
２  区画体
３，７  発泡シート
４  貫通孔
５  配線
【図１】
2016223162.tif 000003
【図３】
2016223162.tif 000004
【図４】
2016223162.tif 000005
【図５】
2016223162.tif 000006
【図６】
2016223162.tif 000007
【図２】
2016223162.tif 000008